(57)【要約】【課題】空間に投影される空間像を、どのような環境でも確実に操作することのできる表示入力装置を提供する。【解決手段】本発明の表示入力装置は、上面が開口したケース１０の上部に、パネル状の結像光学素子１が、ケース１０の上面開口部の所定位置に配設され、上記結像光学素子１に対応するケース下部に、フラットパネルディスプレイＤの載置台３が結像光学素子１に対して所定角度傾斜した状態で配置され、上記フラットパネルディスプレイＤに表示された画像Ｉが、結像光学素子１から離れた位置に空間像Ｉ’として結像するとともに、このケース１０の外部に、操作者の指示入力を、指示信号に変換して上記フラットパネルディスプレイＤの制御手段に伝達するタッチ入力デバイス（タッチパネルＴ）が配設されている。【選択図】図１
2014021305.tif 000002
【特許請求の範囲】
【請求項１】
フラットパネルディスプレイの表示面に表示された映像を、結像機能を有する光学素子を用いて、この結像光学素子から離れた空間位置に浮かび上がった状態で結像させるとともに、操作者の指示入力に対応して、上記フラットパネルディスプレイの映像をインタラクティブに更新する表示入力装置であって、フラットパネルディスプレイを載置するための載置台と、このフラットパネルディスプレイの制御手段と、パネル状の結像光学素子と、これらを収容するケースと、このケースの外部に配置されたタッチ入力デバイスと、を備え、上記結像光学素子が、上記ケースの上面開口部の所定位置に配設され、この結像光学素子に対応するケース下部の位置に、上記載置台が上記結像光学素子に対して所定角度傾斜した状態で配置されているとともに、上記タッチ入力デバイスが、操作者の指示入力を指示信号に変換して上記制御手段に伝達するようになっており、上記制御手段が、この指示信号にもとづき、上記フラットパネルディスプレイに、この指示信号に対応した映像を表示させるようになっていることを特徴とする表示入力装置。
【請求項２】
上記タッチ入力デバイスが、互いに直交する２方向の座標入力が可能なタッチパネルデバイスである請求項１記載の表示入力装置。
【発明の詳細な説明】
【技術分野】
【０００１】
本発明は、写真等の二次元画像を空間に浮かび上がった空間像として表示するとともに、この空間像を、操作者の手指のタッチによりインタラクティブに操作することのできる表示入力装置に関するものである。
【背景技術】
【０００２】
空間に画像や映像等を表示（投影）する方式としては、二眼方式，多眼方式，空間像方式，体積表示方式，ホログラム方式等が知られており、近年では、上記空間に表示された二次元映像または三次元映像（空間像）を、手や指等（以下「手指」という）を用いて直感的に相互作用的操作（インタラクション）可能な表示入力装置が提案されている。
【０００３】
このような表示入力装置における手指の認識入力手段（ユーザインタフェース）として、多数のＬＥＤやランプ等により、検知領域（平面）に縦横の光の格子を形成し、入力体（手指等）による光の格子の遮蔽（遮光）を受光素子等で検知して、その入力体の位置や座標等を検出するシステムが提案されている（特許文献１，２を参照）。
【先行技術文献】
【特許文献】
【０００４】
【特許文献１】特開２００５−１４１１０２号公報
【特許文献２】特開２００７−１５６３７０号公報
【発明の概要】
【発明が解決しようとする課題】
【０００５】
しかしながら、上記表示入力装置は、いつも操作者の手近に設置されているとは限らず、操作に用いる手指等を、その表示入力装置の近傍まで伸ばさなければ、操作することができない。また、上記光の格子を用いた認識入力手段は、操作する周りの環境により、設置できない場合や、入力精度が低下して不安定化するおそれがある。
【０００６】
本発明は、このような事情に鑑みなされたもので、空間に投影される空間像を、どのような環境でも確実に操作することのできる表示入力装置の提供をその目的とする。
【課題を解決するための手段】
【０００７】
上記の目的を達成するため、本発明の表示入力装置は、フラットパネルディスプレイの表示面に表示された映像を、結像機能を有する光学素子を用いて、この結像光学素子から離れた空間位置に浮かび上がった状態で結像させるとともに、操作者の指示入力に対応して、上記フラットパネルディスプレイの映像をインタラクティブに更新する表示入力装置であって、フラットパネルディスプレイを載置するための載置台と、このフラットパネルディスプレイの制御手段と、パネル状の結像光学素子と、これらを収容するケースと、このケースの外部に配置されたタッチ入力デバイスと、を備え、上記結像光学素子が、上記ケースの上面開口部の所定位置に配設され、この結像光学素子に対応するケース下部の位置に、上記載置台が上記結像光学素子に対して所定角度傾斜した状態で配置されているとともに、上記タッチ入力デバイスが、操作者の指示入力を指示信号に変換して上記制御手段に伝達するようになっており、上記制御手段が、この指示信号にもとづき、上記フラットパネルディスプレイに、この指示信号に対応した映像を表示させるようになっているという構成をとる。
【発明の効果】
【０００８】
すなわち、本発明の表示入力装置は、上記結像光学素子が、上記ケースの上面開口部の所定位置に配設され、この結像光学素子に対応するケース下部の位置に、上記載置台が上記結像光学素子に対して所定角度傾斜した状態で配置され、この載置台の上に、上記フラットパネルディスプレイが、所定角度傾斜した状態で載置されている。この構成により、フラットパネルディスプレイを収容するケースの上方に、写真等の二次元画像が、浮かび上がった（立ち上がった）状態で臨場感豊かに投影（結像）される。
【０００９】
また、本発明の表示入力装置は、上記画像を空間に投影するケースの外部に、操作者の手指等による指示入力を指示信号に変換して制御手段に伝達するタッチ入力デバイスが配置されている。そして、上記指示信号を受信したフラットパネルディスプレイの制御手段は、この指示信号にもとづき、上記フラットパネルディスプレイに、この指示信号（操作者の指示）に対応した映像を表示させるようになっている。これにより、本発明の表示入力装置は、操作者が手指等を用いて上記タッチ入力デバイスに触れることにより、環境や条件に左右されない、確実な入力を実行することができる。しかも、上記表示入力装置は、上記空間に浮かび上がった鏡映像をインタラクティブに操作できる、ユーザフレンドリーな装置とすることができる。
【００１０】
また、本発明の表示入力装置のなかでも、上記タッチ入力デバイスが、互いに直交する２方向の座標入力が可能なタッチパネルデバイスである場合は、上記空間に浮かび上がった映像の操作を、操作者の手指等の動きと連動する２方向に、直感的に行うことができる。したがって、本発明の表示入力装置は、上記立体的な二次元画像をよりリアルなものに感じることができる。
【図面の簡単な説明】
【００１１】
【図１】本発明の第１実施形態における表示入力装置の構成を示す断面図である。
【図２】本発明の第１実施形態における表示入力装置の使用方法を説明する図である。
【図３】上記第１実施形態の表示入力装置にフラットパネルディスプレイをセットする方法を説明する一部断面図である。
【図４】（ａ）は本発明の実施形態で用いるマイクロミラーアレイの模式的拡大図であり、（ｂ）はマイクロミラーアレイによる空間像の結像様式を説明する図である。
【図５】本発明の第２実施形態における表示入力装置の使用方法を説明する図である。
【図６】上記第２実施形態の表示入力装置にフラットパネルディスプレイをセットする方法を説明する一部断面図である。
【発明を実施するための形態】
【００１２】
つぎに、本発明の実施の形態を、図面にもとづいて詳しく説明する。ただし、本発明は、この実施の形態に限定されるものではない。
【００１３】
図１は、第１実施形態における表示入力装置の構成を示す模式的断面図であり、図２は、上記表示入力装置の使用方法を説明する図である。なお、本例においては、フラットパネルディスプレイ（符号Ｄ）には、携帯電話（スマートフォン等）の液晶表示装置（ＬＣＤ）の画面を利用している。また、図中の符号Ｅは操作者の視点位置を示し、その白抜き矢印は、操作者の視線の方向を示すとともに、図中の符号２は、ケース１０の上面開口を蓋する透明な板状部材（透明板）を示している。また、同図では、ＬＣＤの画面に表示される「画像」（図１中の太線矢印Ｉ等）および投影される「空間像」（図１中の点線矢印Ｉ’等）は、その厚みを強調して図示している。
【００１４】
本実施形態の表示入力装置は、図１のように、上面開口形の有底箱状のケース１０の中に、フラットパネルディスプレイＤを載置するための載置台３と、パネル状の結像光学素子１とが配設されている。上記載置台３上のスマートフォン（Ｄ）は、上記フラットパネルディスプレイＤの表示を制御する制御手段を備え、上記結像光学素子１の下面１ｂに対峙する直下（真下）の位置に、この結像光学素子１に対してα傾斜する状態で載置されている。そして、このケース１０の近傍（外部）には、操作入力用のタッチ入力デバイス（タッチパネルＴ）が配置されており、このタッチパネルＴが、操作者の指示入力を指示信号に変換して上記制御手段に伝達することにより、上記フラットパネルディスプレイＤが、この指示信号に対応した映像（画像）を表示するようになっている。これが、本発明の第１実施形態の表示入力装置の特徴である。
【００１５】
上記第１実施形態の表示入力装置について、詳しく説明すると、上記ケース１０の上面開口部に配設されてこのケース１０を蓋する透明板２は、ケース開口方向（上下方向）の光の透過（空間像Ｉ’の結像）と、上記結像光学素子１等の取り付け（位置決め固定）のために設けられているもので、ガラス板やアクリル樹脂板等、可視光領域の光透過率が８０％以上の硬質な板状部材から形成されている。
【００１６】
上記透明板に取り付けられるパネル状の結像光学素子１は、その一方の面側に存在する画像Ｉや映像等を、他方の面側に実像（空間像Ｉ’）として結像させる結像機能を備えるもので、本発明の表示入力装置には、フレネルレンズ等を含む各種レンズや、アフォーカル光学系のマイクロミラー，コーナーリフレクタ等の屈折型結像素子、マイクロレンズアレイ等の正立等倍型結像素子を用いることができる。なかでも、本発明においては、図１のように、結像光学素子１の素子面Ｐに対して面対称の位置に像を結ぶ、マイクロミラーアレイ（凸型コーナーリフレクタアレイ、詳細構造は図４を参照）が好適に使用される。なお、この例では、上記マイクロミラーアレイ（結像光学素子１）が、上記ケース１０の上面開口部に取り付けられた透明板２（蓋部材）の下面（内面）側に取り付けられている例を示したが、この結像光学素子１は、上記透明板２に結像光学素子１と同形状の開口（穴）を設け、この開口に嵌め込んで固定するようにしてもよい。
【００１７】
このマイクロミラーアレイ（コーナーリフレクタアレイ）について、より詳しく説明すると、このマイクロミラーアレイは、図４（ａ）の下面図に示すように、基板（基盤）１１の下面（図１における結像光学素子１の下面１ｂ側）に、下向き凸状の多数の微小な単位光学素子１２（コーナーリフレクタ）が、斜め碁盤目状に並ぶように配列されている。それぞれの単位光学素子１２は、各コーナー１２ｃを構成する２つの光反射面（第１の側面１２ａ，第２の側面１２ｂ）が、操作者の視点の方向（図１，図２におけるＥ側）を向くようになっている。なお、このマイクロミラーアレイ（結像光学素子１）を上から見た場合、図４（ｂ）の上面図のように、上記アレイは、その外縁（外辺）を上記ケース１０の正面（操作者側であるＥ側）に対して４５°回転させて（すなわち、外縁の角部が操作者側を向くように）配設されており、結像光学素子１の下側の画像Ｉが、この結像光学素子１に対して面対称の位置（結像光学素子１の上方）に空間像Ｉ’を結像するようになっている。
【００１８】
つぎに、上記フラットパネルディスプレイＤを載置するための載置台３は、図１，図２に示すように、板状部材３ａと、この板状部材３ａを斜めに起立した状態で支持する左右一対の基台３ｂ，３ｂとからなり、ケース１０内部の、上記結像光学素子１の下面１ｂに対峙する位置（結像光学素子１の鉛直下方）に配設されている。上記板状部材３ａは、ケース１０の底面および結像光学素子１の素子面Ｐ（または結像光学素子１の下面１ｂ）に対して所定角α傾いた状態で、上記基台３ｂ，３ｂに支持・固定されており、その上面が、フラットパネルディスプレイＤの載置面となっている。そして、上記載置台３の載置面（板状部材３ａの上）に、フラットパネルディスプレイＤを備えるスマートフォン等を載置することにより、上記フラットパネルディスプレイＤの表示面Ｄａが、結像光学素子１の素子面Ｐに対して角α傾いた状態で保持されるようになっている。なお、ケース１０内における上記載置台３の、結像光学素子１の素子面Ｐ（下面１ｂ）に対する傾斜角αは、結像光学素子１による結像作用が最適となるように調整されており、通常３０°以上９０°未満、好ましくは４０°以上８０°以下に設定されている。
【００１９】
また、上記画像Ｉの表示に用いられるフラットパネルディスプレイＤとしては、バックライトを備える液晶表示パネル（ＬＣＤ）の他、プラズマディスプレイパネル，有機ＥＬ表示パネル等、全可視光波長にわたってなるべく偏りのない「白色」と、非表示時の「黒色」とを、コントラスト良く再現できるディスプレイパネルを使用することが望ましい。なお、フラットパネルディスプレイＤは、この例のように携帯電話または携帯情報端末等の表示部であってもよく、具体的には、スマートフォン，タブレット型ＰＣ，デジタルフォトフレームや、携帯型ゲーム機，携帯型ブックリーダー，ＰＤＡ，電子辞書等のうち、その表示部が常時露出する（カバーされていない）タイプのなかで、上記載置台３上に載置できるサイズのものを使用することができる。また、バックライトを有さないディスプレイを使用する場合は、別途設けた光源から表示画面に向けて光を照射し、その反射光を利用するようにすればよい。
【００２０】
上記スマートフォン（Ｄ）は、上記フラットパネルディスプレイＤの表示を制御するプログラム（エンジン）またはアプリケーションを備え、後記のタッチパネルＴから入力された信号（指示信号）にもとづき、上記フラットパネルディスプレイＤのコントローラが、このフラットパネルディスプレイＤに、この指示信号に対応した映像を表示させるようになっている。なお、上記実施形態では、スマートフォンが、タッチパネルＴと情報交換する通信機能と、上記フラットパネルディスプレイＤの制御手段としての機能、および、演算手段や管理手段としての機能の全てを兼用している例を示したが、上記スマートフォンの他に、コンピュータ等からなる制御部（コントローラ）を別途設け、これらの機能をこのコントローラと分担するように構成してもよい。
【００２１】
そして、本実施形態では、ケース１０の外部に、操作入力用のタッチパネルＴが配設されている。このタッチパネルＴとしては、抵抗膜方式，電磁誘導方式，静電容量方式，赤外線（光導波路）方式等の各種タイプを利用可能で、操作板（透明パネル）の背面に、液晶表示パネル，プラズマディスプレイパネル，有機ＥＬ表示パネル等のパネル状画像表示装置を備えるものが、好適に採用される。本実施形態においては、操作性の観点から、図２に示すように、表示画面Ｔａ（ＬＣＤ）の全面（全領域）を利用して、互いに直交する２方向（この例ではｘ，ｙ方向）の座標情報が入力可能なものが好ましく、また、この表示画面Ｔａの任意の位置（領域）に、ボタンの代わりとなるアイコン等を表示できるものが望ましい。勿論、上記ボタン等は、画面の枠（額縁）部分に、実際の電磁スイッチ等を配設するようにしてもよい。
【００２２】
なお、上記タッチパネルＴと上記制御手段を兼用するスマートフォンとの接続は、Ｂｌｕｅｔｏｏｔｈ（登録商標）や無線ＬＡＮ等の無線接続、あるいは、ケーブル等を用いた有線接続により行われる。また、上記タッチパネルＴの配設場所は、上記無線または有線接続可能な範囲であるならば、特に表示入力装置の近傍である必要はなく、操作者の近傍もしくはその利用形態により、好みの位置に配置すればよい。
【００２３】
さらに、本発明の表示入力装置におけるタッチ入力デバイスとしては、上記タッチパネルＴのほか、表示画面を備えていないその他の「操作者の手指で操作可能な入力デバイス」、例えば、キーボード態様，マウス態様，タブレット態様等の入力装置を使用してもよく、（本来の機能は損なわれるが）他の携帯電話または携帯情報端末等の表示入力部を利用（流用）してもよい。そして、オフィス等、この表示入力装置をコンピュータ（パソコン）等に接続して利用可能な場合は、そのパソコン等に接続されているキーボード，マウスやタブレット等の入力インターフェースが、上記表示入力装置のタッチ入力デバイスを兼用（共用）するようにしてもよい。
【００２４】
また、上記各部材を収容するケース１０は、図１のように、その上面の開口部に前記透明板２が配置されているとともに、ケース１０の内面は、光による乱反射を防止するために、黒色（色度０，彩度０，明度０）もしくはこれに近い暗色とされている。なお、このケース１０の一側面には、図２，図３に示すように、上記フラットパネルディスプレイＤ（図ではスマートフォン）をこのケース１０の内部（載置台３の上）に挿入するためのスリット状の挿入口１０ａが設けられている。
【００２５】
つぎに、上記フラットパネルディスプレイＤ（スマートフォン）を用いて、上記ケース１０の上方に、画像Ｉの実像（空間像Ｉ’）を投影・表示する方法について説明する。
【００２６】
上記表示入力装置において、上記画像Ｉを表示（投影）する場合、まず、フラットパネルディスプレイＤを備えるスマートフォンを準備し、このフラットパネルディスプレイＤに、所定の加工（背景色変更やコントラスト向上等の画像処理）を施した画像Ｉ（図２，図３では、例として「犬の写真」）を表示させ、このスマートフォンを、上記画像Ｉの上下（天地）が逆さまなるようにして、上記挿入口１０ａのあるケース１０の側面近傍まで移動させる（図２，図３の矢印Ａ参照）。
【００２７】
つぎに、上記画像Ｉが逆さまの状態のまま、上記スマートフォンを、上記挿入口１０ａからケース１０の内部へ押し込む（図２，図３の矢印Ｂ）と、このスマートフォンが載置面上を横にスライドして、載置台３上の所定位置にセットされる（図２，図３のＣ位置）。これにより、上記フラットパネルディスプレイＤの画面に表示された平面的な二次元画像Ｉ（写真等）が、奥行き感を持った空間像Ｉ’（立体的二次元画像）として、パネル状の結像光学素子１の上方に表示（投影）される（図２参照）。
【００２８】
なお、上記載置台３の載置面を構成する板状部材３ａの代わりに、上記とは別のフラットパネルディスプレイを傾斜状に配置すれば、上記フラットパネルディスプレイＤを載置していない場合でも、画像Ｉの表示と空間像Ｉ’の投影を続けることができる。また、載置台３の載置面（板状部材３ａ）に、ＬＥＤディスプレイやＬＥＤデジタル時計等の自発光方式の表示装置を組み込めば、上記フラットパネルディスプレイＤを載置（挿入）していない場合でも、これらの表示と投影が途切れることなく続けられるため、好ましい。さらに、上記載置台３が、上記携帯電話や携帯情報端末等の充電（充電スタンドまたはクレードル）機能を備えるように構成すれば、ケース１０内部に挿入中に各機器の充電を済ますことが可能で、その充電のための時間を有効に活用することができる。
【００２９】
上記構成の表示入力装置によれば、フラットパネルディスプレイＤを収容するケース１０の上方に、写真等の二次元画像Ｉが、空間像Ｉ’として、立体的に浮かび上がった状態で臨場感豊かに投影（結像）される。また、操作者が手指等を用いて上記タッチパネルＴの表示画面Ｔａに触れることにより、環境や条件に左右されない、確実な操作入力を実行することができる。
【００３０】
つぎに、上記タッチ入力デバイスとスマートフォンとが一体になった構成例について説明する。
図５は、本発明の第２実施形態における表示入力装置の構成を示す模式的断面図であり、図６は、上記表示入力装置の使用方法を説明する図である。なお、上記第１実施形態と同様の構成には、同じ符号を付記してその説明を省略する。
【００３１】
図５，６に示す第２実施形態の表示入力装置が、前記第１実施形態と異なるのは、この表示入力装置に操作者の指示を入力（伝達）するためのタッチ入力デバイスが、ケース１０外部の別体ではなく、スマートフォンの操作部の一部（以下、操作部Ｄｔ）として構成されている点である。
【００３２】
このスマートフォンの操作部Ｄｔは、スライド型携帯電話やバー型携帯電話等の操作入力部として設けられているものであり、図６のように、フラットパネルディスプレイＤの画面Ｄａに画像Ｉ（犬の写真）を表示させ、このスマートフォンを挿入口１０ａからケース１０の内部へ押し込んだ場合、上記操作部Ｄｔが、この挿入口１０ａからケース１０外部に突出するようになっている。これにより、上記タッチ入力デバイスとしてタッチパネルＴ等を用意することなく、前記第１実施形態の表示入力装置と同等の操作性と効果を奏することができる。
【００３３】
つぎに、上記タッチ入力デバイス（タッチパネルＴ）に触れた手指等による指示と位置情報（座標）を用いて、フラットパネルディスプレイＤ上に表示される画像（映像）を更新する方法について説明する。
【００３４】
例えば、図２のように、タッチパネルＴの表示画面Ｔａに、上部の座標入力領域（ｘｙ軸の表示領域）と、下部のアイコンタッチ領域（Ｍ，Ｎ，Ｔ，Ｂ等の四角状アイコン）とが表示されている場合、下部の「Ｍ」ｍａｉｌアイコン（表示画面Ｔａ上の特定領域）へ手指等でタッチ（指示入力）を行うと、このタッチパネルＴは、上記手指等のパネルへの接触（タッチ）を検出し、上記フラットパネルディスプレイＤの制御手段（コントローラ）に対して、このアイコンに対応する指示信号（コードまたはイベント）を送出する。
【００３５】
上記「Ｍ」ｍａｉｌアイコンに相当する指示信号を受けたコントローラは、スマートフォンやコンピュータ等の演算手段（イベント処理エンジン）と通信回線等を通じて、該当サーバ上のｍａｉｌｂｏｘ内のＥ−メールやＳＭＳ等の有無（新着の有無）を確認し、上記フラットパネルディスプレイＤ上の画像を、その結果に対応した画像に更新（差し替えまたはレンダリング）する。なお、上記電子メールの有無の結果に対応したテキスト（文字情報）を、上記スマートフォンに内蔵のスピーカー、または、外部に取り付けた音声出力手段等から、上記画像の更新とともに発声（読み上げ）するようにしてもよい。
【００３６】
また、表示画面Ｔａ上の「Ｎ」ｎｅｗｓアイコンへのタッチ（指示入力）を検出した場合は、上記と同様にして、フラットパネルディスプレイＤ上の画像を、Ｗｅｂ上のニュース，天気予報，電車の運行状況等や、地震等の災害情報、Ｔｗｉｔｔｅｒ（登録商標）やＳＮＳ等の更新に対応した画像に更新する。同様に、表示画面Ｔａ上の「Ｔ」ｔｉｍｅアイコンへのタッチ（指示入力）を検出した場合は、上記演算手段や通信回線等を通じて時刻データを取得し、上記フラットパネルディスプレイＤ上の画像を、現在時刻に対応した画像に更新する。そして、表示画面Ｔａ上の「Ｂ」ｂａｔｔ．アイコンへのタッチ（指示入力）を検出した場合は、上記演算手段やセンサ等を介して、上記スマートフォン等のバッテリー残量のデータを取得し、上記フラットパネルディスプレイＤ上の画像を、上記バッテリー残量に対応した画像に更新する。これら各情報の更新は、情報ごとに表示（サイン）を変えて表示し、その更新を音声で知らせるようにしてもよい。
【００３７】
さらに、操作者が上記表示画面Ｔａ上の各アイコン以外の領域にタッチし、指先等を用いて連続してその軌跡（連続した座標情報）を入力した場合は、上記指先座標の変化量にもとづいて、フラットパネルディスプレイＤの画像Ｉ（すなわち空間像Ｉ’）を、指先の動きに応じて連続にかつインタラクティブに変化させる（更新する）ことができる。なお、各アイコン以外の領域を、マウスやタブレット等のポインティングデバイスのように動作する領域として利用する以外にも、この領域に特定図形を一筆書きすることにより指示を入力する（いわゆる「ゼスチャー入力」）領域や、文字認識（手書き入力）領域として利用してもよい。
【００３８】
また、上記実施形態では、操作者の入力を起点（発端）として、メールやニュース等のＷｅｂ上の情報を自発的に取得する〔いわゆる「プル（ＰＵＬＬ）配信」〕システムを例に説明したが、本発明の表示入力装置は、Ｗｅｂ（ネットワーク）側から携帯電話等に対する自動的な情報配信〔いわゆる「プッシュ（ＰＵＳＨ）配信」〕に対応して、上記フラットパネルディスプレイＤ上の画像を更新するシステムを兼用するようにしてもよい。
【００３９】
さらに、上記制御手段や演算手段等で用いられるプログラム（エンジン）を、スマートフォン等のローカルで運用する例を示したが、これら各プログラムは、前記の別途用意したコントローラ等に分散配置してもよく、また、クラウド等のネットワークを介した外部（サーバ等）に配置してもよい。
【産業上の利用可能性】
【００４０】
本発明の表示入力装置は、空間に投影される空間像を、どのような環境でも直感的に操作することができるため、空間像と簡単にインタラクションできるユーザインタフェースデバイスとすることができる。
【符号の説明】
【００４１】
１  結像光学素子
３  載置台
１０  ケース
Ｄ  フラットパネルディスプレイ
Ｔ  タッチパネル
Ｉ  画像
Ｉ’  空間像
【図１】
2014021305.tif 000003
【図２】
2014021305.tif 000004
【図３】
2014021305.tif 000005
【図４】
2014021305.tif 000006
【図５】
2014021305.tif 000007
【図６】
2014021305.tif 000008